(57)【要約】【課題】壁裏に配管スペースが無い場合でも、配管を浴室内に施工することができ、しかも、この配管を隠蔽させて、スッキリとした状態で浴室の壁面に設置できる多機能一体型の設備パネルを提供する。【解決手段】浴室１の洗い場３側の壁面４に設置される設備パネル５であって、この設備パネル５は、上部のカウンター部６と、下部の洗面器台部７と、その中間の、水栓１２を取り付ける水栓取付面８とが一体で形成されてなり、カウンター部６の上部と洗面器台部７の下部には、ビスで直接壁面４に固定できるビス固定部９，１０が設けられているとともに、エプロン１３を貫通させた配管１７，１７を、洗面器台部７の左側面から水栓取付面８の裏側の配管スペース内に引き込んで、配管１７，１７を隠蔽させることができる。【選択図】                図３
2004358103.tif 000002
【特許請求の範囲】
【請求項１】
浴室の洗い場側壁面に設置される設備パネルであって、該設備パネルは、上部のカウンター部と、下部の洗面器台部と、その中間の水栓取付面とが一体で形成されてなり、前記カウンター部の上側と前記洗面器台部の下側には、前記壁面にビスで直接固定できるビス固定部が設けられているとともに、前記洗面器台部の側面から配管を前記水栓取付面の裏側に引き込むことができるように、配管スペースが形成されていることを特徴とする浴室用設備パネル。
【請求項２】
前記設備パネルの洗面器台部の側面には、浴槽のエプロンが配設され、前記配管を前記エプロンを貫通して前記洗面器台部の側面から前記配管スペース内に引き込むように構成したことを特徴とする請求項１に記載の浴室用設備パネル。
【発明の詳細な説明】
【０００１】
【発明の属する技術分野】
この発明は、浴室の洗い場側の壁面に設置される設備パネルに関するものである。
【０００２】
【従来の技術】
従来、特許文献１に開示されているように、浴室の洗い場の壁面に、上下のカウンターと、その間に、水栓を取付可能な配管パネルを設けて構成したものがある。
【０００３】
【特許文献１】
特開２００２−１４３０２１号公報
【０００４】
【発明が解決しようとする課題】
従来では、上下のカウンターと、配管パネルが別体で分割されており、これらの部品を壁面に施工する必要があり、部品点数が多く、施工コスト等が高くなるという問題点があった。
【０００５】
【課題を解決するための手段】
本発明は、上記従来の問題点に鑑み案出したものであって、ブラケット等を用いることなく浴室の壁面に施工することができ、しかも、内部に隠蔽状に配管することのできる浴室用設備パネルを提供せんことを目的とし、その第１の要旨は、浴室の洗い場側壁面に設置される設備パネルであって、該設備パネルは、上部のカウンター部と、下部の洗面器台部と、その中間の水栓取付面とが一体で形成されてなり、前記カウンター部の上側と前記洗面器台部の下側には、前記壁面にビスで直接固定できるビス固定部が設けられているとともに、前記洗面器台部の側面から配管を前記水栓取付面の裏側に引き込むことができるように、配管スペースが形成されていることである。
また、第２の要旨は、前記設備パネルの洗面器台部の側面には、浴槽のエプロンが配設され、前記配管を前記エプロンを貫通して前記洗面器台部の側面から前記配管スペース内に引き込むように構成したことである。
【０００６】
【発明の実施の形態】
以下、本発明の実施例を図面に基づいて説明する。
図１は、浴室の要部斜視構成図であり、浴室１には浴槽２と洗い場３が設けられており、この洗い場３側の壁面４には設備パネル５が取り付けられている。
この設備パネル５は、上部のカウンター部６と、下部の洗面器を載せることのできる洗面器台部７と、カウンター部６と洗面器台部７間を連結するように中間に垂設された、水栓金具１２を取り付けるための水栓取付面８が一体で形成されており、この設備パネル５は樹脂の射出成型、または樹脂のプレス成型で形成されたものであり、カウンター部６の上部および洗面器台部７の下部には、ビスで壁面４に取り付けることのできるビス固定部９，１０が一体形成されている。
【０００７】
図２は、設備パネル５の縦断面構成図を示しており、前記カウンター部６は、洗い場３側へ略水平状に突出されて、断面コの字状に形成されており、その下端から水栓取付面８が垂設されて、水栓取付面８の下端から略水平に洗い場３側へ突出して、洗面器を載せることのできる洗面器台部７が形成され、洗面器台部７の下部は、壁面４側へ湾曲した湾曲部７ａとなっており、この湾曲部７ａの下端にビス固定部１０が設けられて、この湾曲部７ａの下端が洗い場３にほぼ当接状態で設置されるものである。
【０００８】
なお、浴槽２のエプロン１３には、点検口１４が設けられており、エプロン１３の裏側には、図５に示すように、予め水道工事業者により躯体側から設備配管１６が立ち上げ施工されている。
即ち、この設備配管１６に対し、浴槽２と洗い場３で構成される防水パンを上方より降ろして、エプロン１３の裏側に設備配管１６を配設させることができる。
【０００９】
この設備配管１６から、エプロン１３を水平方向に貫通させてエプロン部配管取出口１５を形成させておき、このエプロン部配管取出口１５に対し、図３の分解図で示すように、洗い場３側から内部配管１７，１７を接続して、浴室内の所定位置に内部配管１７，１７を配管することができる。
さらに、この内部配管１７に対し、洗い場３側から設備パネル５を壁面４に取り付けて、設備パネル５で内部配管１７を隠蔽させることができるものである。
【００１０】
即ち、内部配管１７，１７を設備パネル５の洗面器台部７の裏側のスペース内にエプロン１３側から引き込み、内部配管７，７を水栓取付面８の裏側の配管スペースＳ内に配設させて、内部配管１７，１７の上端に対し、洗い場３側から水栓金具１２を連結して、水栓金具１２を水栓取付面８に取り付け施工することができ、設備パネル５の裏側に形成された配管スペースＳ内に良好に内部配管１７を隠蔽させることができ、スッキリとした施工状態を得ることができるものとなる。
なお、設備パネル５の洗面器台部７の左側面のみを開口させておき、この洗面器台部７の左側面の開口部分をエプロン１３に当接させて設置することにより、エプロン部配管取出口１５をも良好に隠蔽させてスッキリとした設置状態が得られるものである。
【００１１】
なお、壁面４の裏側に配管を行うことなく、壁面４の室内側に容易に内部配管１７，１７を配管することができ、施工が容易なものとなり、しかも、この内部配管１７，１７を良好に設備パネル５で隠蔽することができ、設備パネル５は図４のように、ビス固定部９，１０にそれぞれビス１８を室内側から壁面４に締め付けて、直接壁面４に固定することができ、ビス１８による固定箇所を増やすことで、極めて強固に壁面４に取り付けることができ、取り付けた状態は強度的に優れたものとなり、カウンター部６上に物を置いたり、また洗面器台部７上に洗面器を置いて、良好に使用することができるものとなる。
【００１２】
なお、後に、化粧キャップ１１，１１，１１がそれぞれのビス１８の部分のビス固定部９に被せられて、ビス１８の頭部は化粧キャップ１１により隠蔽されるものである。
なお、壁面４に設備パネル５を取り付けた後においても、点検口１４を開けることで、設備配管１６および内部配管１７のメンテナンス等を容易に行うことができるものとなる。
【００１３】
【発明の効果】
本発明は、浴室の洗い場側壁面に設置される設備パネルであって、設備パネルは、上部のカウンター部と、下部の洗面器台部と、その中間の水栓取付面とが一体で形成されてなり、カウンター部の上側と洗面器台部の下側には、壁面にビスで直接固定できるビス固定部が設けられているとともに、洗面器台部の側面から配管を水栓取付面の裏側に引き込むことができるように、配管スペースが形成されていることにより、配管スペース内に配管を引き込んで良好に隠蔽させることができ、容易に室内側に配管を設けて設備パネルでスッキリと隠蔽することができ、しかも、設備パネルは、カウンター部と洗面器台部と水栓取付面が一体で形成されているため、部品点数が少なく、壁面への取り付けを容易に行うことができ、取り付け強度が確保されて施工が容易なものとなる効果を有する。
【００１４】
また、設備パネルの洗面器台部の側面には、浴槽のエプロンが配設され、配管をエプロンを貫通して洗面器台部の側面から配管スペース内に引き込むように構成したことにより、水道業者による設備配管を、浴槽のエプロンの裏側に立ち上げておき、この設備配管に対し、エプロンを貫通させて浴室内に配管を配設することができ、この配管を良好に設備パネルの配管スペース内に隠蔽させて、スッキリとした設置状態が得られる効果を有する。
【図面の簡単な説明】
【図１】浴室の洗い場側壁面に、設備パネルを設置した状態の要部斜視構成図である。
【図２】設備パネルの設置状態の縦断面構成図である。
【図３】設備パネルの取り付け前の分解斜視図である。
【図４】設備パネルの取り付け施工状態を示す縦断面構成図である。
【図５】設備パネルで隠蔽された配管状態を示す正面断面構成図である。
【符号の説明】
１    浴室
２    浴槽
３    洗い場
４    壁面
５    設備パネル
６    カウンター部
７    洗面器台部
８    水栓取付面
９，１０    ビス固定部
１１    化粧キャップ
１２    水栓金具
１３    エプロン
１４    点検口
１５    エプロン配管取出口
１６    設備配管
１７    内部配管
１８    ビス
Ｓ    配管スペース
【図１】
2004358103.tif 000003
【図２】
2004358103.tif 000004
【図３】
2004358103.tif 000005
【図４】
2004358103.tif 000006
【図５】
2004358103.tif 000007